(57)【要約】【課題】ユーザの意図した画像が表示されているか否かを確認することができる。【解決手段】第１の画像が入力される入力部と、表示画面を有し、前記表示画面に前記入力部に入力された第１の画像を表示する表示部と、前記入力部に入力された第１の画像をダウンスケーリングした第２の画像を生成し、前記第２の画像を前記表示画面の一部に表示させる処理部と、前記第２の画像を撮像する撮像部と、を備える。【選択図】図１
2018078436.tif 000002
【特許請求の範囲】
【請求項１】
第１の画像が入力される入力部と、
表示画面を有し、前記表示画面に前記入力部に入力された第１の画像を表示する表示部と、
前記入力部に入力された第１の画像をダウンスケーリングした第２の画像を生成し、前記第２の画像を前記表示画面の一部に表示させる処理部と、
前記第２の画像を撮像する撮像部と、
を備える表示装置。
【請求項２】
前記撮像部は、前記表示画面の一部と対向する位置に配置されている請求項１に記載の表示装置。
【請求項３】
前記処理部は、前記第２の画像をＰＩＰ（Picture In Picture）画像として前記表示画面の一部に表示させる請求項１又は請求項２に記載の表示装置。
【請求項４】
前記処理部は、前記表示画面の四隅の少なくともいずれか一の隅を前記表示画面の一部として前記第２の画像を表示する請求項１から請求項３のいずれか一項に記載の表示装置。
【請求項５】
前記撮像部に撮像された撮像画像を外部装置に送信する制御部をさらに備える請求項１から請求項４のいずれか一項に記載の表示装置。
【請求項６】
前記撮像部に撮像された撮像画像と、前記第２の画像とに基づいて、前記第１の画像が前記表示画面に表示されているか否かを判定する制御部を備える請求項１から請求項４のいずれか一項に記載の表示装置。
【請求項７】
前記処理部は、前記撮像画像と前記第２の画像とをそれぞれヒストグラム処理を行うヒストグラム処理部をさらに備え、
前記制御部は、前記ヒストグラム処理が行われた前記撮像画像と前記第１の画像との強度差の平均値が所定の値未満の場合には、前記第２の画像が前記表示画面に表示されていると判定する請求項６に記載の表示装置。
【請求項８】
入力部に入力された第１の画像を表示部の表示画面に表示するステップと、
前記入力部に入力された第１の画像をダウンスケーリングした第２の画像を生成し、前記第２の画像を前記表示画面の一部に表示させるステップと、
前記第２の画像を撮像するステップと、
を含む表示装置の制御方法。
【発明の詳細な説明】
【技術分野】
【０００１】
本発明は、表示装置及び表示装置の制御方法に関する。
【背景技術】
【０００２】
液晶ディスプレイやプロジェクタなどのディスプレイを用いて広告を表示する広告媒体であるデジタルサイネージ（Digital Signage）が、様々な場所に設置され始めている（例えば、特許文献１参照）。
【０００３】
このデジタルサイネージにおいては、公共の場にディスプレイが設置されることが多い。したがって、宣伝広告の提供者（ユーザ）が自らディスプレイの動作状況（例えば、正しいコンテンツがディスプレイに表示されているか等）を確認できない場合がある。そこで、ディスプレイが動作しているかを常に確認する方法として、ディスプレイの画面上に輝度センサーを配置し、輝度センサーからの出力に基づいてそのディスプレイの動作状況を遠隔から確認する方法がある。
【先行技術文献】
【特許文献】
【０００４】
【特許文献１】特開平１１−２８４９７７号公報
【発明の概要】
【発明が解決しようとする課題】
【０００５】
しかしながら、輝度センサーによる確認は、ディスプレイにおけるバックライトの点灯の有無のみであり、ユーザが意図した画像がディスプレイに表示されているか、具体的な画像の内容までは確認できない。
【０００６】
本発明は、このような事情に鑑みてなされたもので、その目的は、ユーザの意図した画像が表示されているか否かを確認可能な表示装置及び表示装置の制御方法を提供することである。
【課題を解決するための手段】
【０００７】
本発明の一態様は、第１の画像が入力される入力部と、表示画面を有し、前記表示画面に前記入力部に入力された第１の画像を表示する  表示部と、前記入力部に入力された第１の画像をダウンスケーリングした第２の画像を生成し、前記第２の画像を前記表示画面の一部に表示させる処理部と、前記第２の画像を撮像する撮像部と、を備える表示装置である。
【０００８】
本発明の一態様は、上述の表示装置であって、前記撮像部は、前記表示画面の一部と対向する位置に配置されている。
【０００９】
本発明の一態様は、上述の表示装置であって、前記処理部は、前記第２の画像をＰＩＰ（Picture In Picture）画像として前記表示画面の一部に表示させる。
【００１０】
本発明の一態様は、上述の表示装置であって、前記処理部は、前記表示画面の四隅の少なくともいずれか一の隅を前記表示画面の一部として前記第２の画像を表示する。
【００１１】
本発明の一態様は、上述の表示装置であって、前記撮像部に撮像された撮像画像を外部装置に送信する制御部をさらに備える。
【００１２】
本発明の一態様は、上述の表示装置であって、前記撮像部に撮像された撮像画像と、前記第２の画像とに基づいて、前記第１の画像が前記表示画面に表示されているか否かを判定する制御部を備える。
【００１３】
本発明の一態様は、上述の表示装置であって、前記処理部は、前記撮像画像と前記第２の画像とをそれぞれヒストグラム処理を行うヒストグラム処理部をさらに備え、前記制御部は、前記ヒストグラム処理が行われた前記撮像画像と前記第１の画像との強度差の平均値が所定の値未満の場合には、前記第２の画像が前記表示画面に表示されていると判定する。
【００１４】
本発明の一態様は、入力部に入力された第１の画像を表示部の表示画面に表示するステップと、前記入力部に入力された第１の画像をダウンスケーリングした第２の画像を生成し、前記第２の画像を前記表示画面の一部に表示させるステップと、前記第２の画像を撮像するステップと、を含む表示装置の制御方法である。
【発明の効果】
【００１５】
以上説明したように、本発明によれば、ユーザの意図した画像が表示されているか否かを確認することができる。
【図面の簡単な説明】
【００１６】
【図１】第１の実施形態に係る表示装置２を備える表示監視システム１の概略構成の一例を示す図である。
【図２】第１の実施形態に係る第１の画像及び第２の画像との比較図である。
【図３】第１の実施形態に係る表示部６の表示画面２０に表示される第１の画像及び第２の画像を示す図である。
【図４】第１の実施形態に係る撮像部７が表示装置２に設けられた場合における表示部６の外観図である。
【図５】第１の実施形態における表示画面２０の隅２２を側面から見た図である。
【図６】第１の実施形態における表示装置２の処理の流れを示す図である。
【図７】第２の実施形態に係る表示装置２Ａを備える表示監視システム１Ａの概略構成の一例を示す図である。
【図８】第２の実施形態に係る処理部５Ａの概略構成の一例を示す図である。
【図９】第２の実施形態に係るヒストグラム処理を説明する図である。
【図１０】第２の実施形態における表示装置２の処理の流れを示す図である。
【図１１】本発明の一実施形態に係る表示装置の主要な構成を説明する図である。
【発明を実施するための形態】
【００１７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。なお、図面において、同一又は類似の部分には同一の符号を付して、重複する説明を省く場合がある。また、図面における要素の形状及び大きさなどはより明確な説明のために誇張されることがある。
【００１８】
明細書の全体において、ある部分がある構成要素を「含む」、「有する」や「備える」とする時、これは、特に反対の記載がない限り、他の構成要素を除くものではなく、他の構成要素をさらに含むことができるということを意味する。
【００１９】
以下、本発明の一実施形態に係る表示装置を、図面を用いて説明する。
【００２０】
＜第１の実施形態＞
図１は、第１の実施形態に係る表示装置２を備える表示監視システム１の概略構成の一例を示す図である。図１に示すように、表示監視システム１は、表示装置２及び監視装置３を備える。例えば、表示装置２は、宣伝広告等を提供するデジタルサイネージ分野で用いられる表示装置である。
【００２１】
表示装置２は、入力部４、処理部５、表示部６、撮像部７、制御部８及び通信部９を備える。
入力部４には、第１の画像を示す画像信号（以下、単に「第１の画像」という。）を供給する画像信号出力機器が接続される。入力部４には、その画像信号出力機器から第１の画像が入力される。この第１の画像は、例えば、宣伝広告用の画像であって、静止画でもよいし動画でもよい。
【００２２】
処理部５は、入力部４に入力された第１の画像を画像処理する。そして、処理部５は、画像処理した第１の画像を表示部６に全画面表示させる。
また、処理部５は、入力部４に入力された第１の画像をダウンスケーリングした画像（以下、「第２の画像」という。）を生成する。そして、処理部５は、生成した第２の画像を表示部６の表示画面の一部に表示させる。例えば、処理部５は、生成した第２の画像をＰＩＰ（Picture In Picture）画像として表示部６の表示画面の一部に表示させる。
【００２３】
図２は、第１の実施形態に係る第１の画像及び第２の画像との比較図である。図２（ａ）は、第１の実施形態に係る第１の画像の一例を示す。図２（ｂ）は、第１の実施形態に係る第２の画像の一例を示す。
【００２４】
図２（ａ）に示すように、例えば、表示装置２が一般的なパブリックディスプレイ(４６インチ、１９２０×１０８０、ドットピッチ約０．５３ｍｍ)である場合には、表示部６に表示される第１の画像の改造度は、１９２０×１０８０となる。ここで、図２（ｂ）に示すように、例えば、処理部５は、第１の画像を解像度９６×５４にダウンスケーリングした第２の画像（画面サイズは５０×２８ｍｍ）を生成し、その第２の画像を表示部６の表示画面にＰＩＰ表示する。図２に示すように、第２の画像は、表示装置２に入力された第１の画像（表示部６に全画面表示されている画像）をダウンスケーリングした画像であることが十分認識可能である。なお、上述したダウンスケーリングした第２の画像の解像度９６×５４は、一例であって、これに限定されない。すなわち、ダウンスケーリングする解像度は、第２の画像が、第１の画像をダウンスケーリングした画像であることを十分認識可能である範囲で任意に設定可能である。
【００２５】
表示部６は、表示画面を有し、その表示画面に対して、入力部４に入力された第１の画像を表示する。また、表示部６は、処理部５により生成された第２の画像を、表示画面の一部に表示する。図３は、第１の実施形態に係る表示部６の表示画面２０に表示される第１の画像及び第２の画像を示す図である。
【００２６】
図３に示すように、四角形状の額縁部２１に囲まれた表示画面２０には、第１の画像が表示されるとともに、その表示画面２０の四隅の少なくともいずれか一の隅に、第２の画像を表示される。第１の実施形態において、第２の画像は、表示画面２０における右下の隅に表示される。なお、表示部６は、表示画面２０の一部に第２の画像を表示すればよく、必ずしも表示画面２０の隅２２に表示しなくてもよい。ただし、第２の画像は、第１の画像が全画面表示されていることを確認するための画像であるため、外部からの第１の画像の視認性を阻害しない箇所に第２の画像を表示することが望ましい。以下に、第２の画像が表示される表示画面における領域をＰＩＰ画像領域２３と称する場合がある。
【００２７】
撮像部７は、第２の画像を撮像する。例えば、撮像部７は、ＣＣＤ（Charge Coupled Device）又はＣＭＯＳ（Complementary Metal Oxide Semiconductor）又はＭＯＳ方式のカメラである。この撮像部７の撮像性能は、ダウンスケーリングした第２の画像と同等もしくはそれ以上の解像度性能を備えていればよい。例えば、撮像部７は、表示画面の一部と対向する位置に配置されている。図４は、第１の実施形態に係る撮像部７が表示装置２に設けられた場合における表示部６の外観図である。また、図５は、第１の実施形態における表示画面２０の隅２２を側面から見た図である。
【００２８】
図５に示すように、撮像部７は、ＰＩＰ画像領域２３に表示された第２の画像を表示するために、ＰＩＰ画像領域２３と対向する位置に配置されている。また、撮像部７は、額縁部２１に取り付けられることで、ＰＩＰ画像領域２３と対向する位置に配置される。具体的には、撮像部７は、額縁部２１において内側に延長した部分３０であって、ＰＩＰ画像領域２３と対向する位置に取り付けられている。これにより、外部から撮像部７や第２の画像を視認されにくくすることができる。
【００２９】
図１に戻り、撮像部７は、撮像した撮像画像を制御部８に出力する。
制御部８は、撮像部７に撮像された撮像画像を、通信部９を介して、外部装置である監視装置３に送信する。また、制御部８は、入力部４への第１の画像の入力が無くなった場合には、撮像部７の電源をオフにする。このように、制御部８は、第１の画像が表示部６に表示されていない場合には、第２の画像も表示されていないため、その場合には、撮像部７の電源をオフして撮像部７の撮像を停止することで電力を削減する。
通信部９は、監視装置３と無線又は有線で通信する。例えば、通信部９は、ＵＳＢ等のインターフェースを介して監視装置３と通信してもよい。
【００３０】
監視装置３は、宣伝広告の提供者等のユーザが第１の画像が表示装置２に表示されているかを監視可能な装置であり、例えば、アプリケーション等の画像閲覧ソフトがインストールされている。監視装置３は、通信部１０及び表示部１１を備える。通信部１０は、通信部９と無線又は有線で通信する。
表示部６は、例えば、上記の画像閲覧ソフトを起動することで、通信部１０から取得した撮像部７の撮像画像を表示する。これにより、宣伝広告の提供者等のユーザは、自身の意図した画像が表示装置２に表示されていることを、表示部６の表示画面を見ることで確認することができる。
【００３１】
以下に、第１の実施形態における表示装置２の処理について、説明する。図６は、第１の実施形態における表示装置２の処理の流れを示す図である。
表示装置２は、入力部４に第１の画像が入力されることで、その第１の画像を取得する（ステップＳ１０１）。処理部５は、入力部４に入力された第１の画像を画像処理する。また、処理部５は、入力部４に入力された第１の画像をダウンスケーリングした第２の画像を生成する（ステップＳ１０２）。そして、処理部５は、表示部６の表示画面２０に第１の画像を全画面表示するとともに、第２の画像をＰＩＰ表示する（ステップＳ１０３）。
【００３２】
撮像部７は、一定時間経過ごとに第２の画像を撮像する（ステップＳ１０４）。そして、制御部８は、撮像部７に撮像された撮像画像を、通信部９を介して監視装置３に送信する（ステップＳ１０５）。
【００３３】
上述したように、第１の実施形態における表示装置２は、第１の画像をダウンスケーリングした第２の画像を生成し、第１の画像の全画面表示とともに、第２の画像をＰＩＰ表示する。また、表示装置２は、そのＰＩＰ表示された第２の画像を撮像する撮像部７を備える。これにより、宣伝広告の提供者等のユーザは、撮像部７が撮像した第２の画像を確認することで、意図した画像が表示装置２に表示されていることを容易に確認することができる。また、表示装置２は、撮像部７が撮像した第２の画像を有線又は無線で送信する機能を有している。したがって、ユーザは、撮像部７が撮像した第２の画像を有線又は無線で取得することで、表示装置２の近くに居なくても、意図した画像が表示装置２に表示されているか否かを確認することができる。
【００３４】
＜第２の実施形態＞
以下に、第２の実施形態に係る表示装置２Ａを備える表示監視システム１Ａについて、説明する。図７は、第２の実施形態に係る表示装置２Ａを備える表示監視システム１Ａの概略構成の一例を示す図である。
図７に示すように、表示監視システム１Ａは、表示装置２Ａ及び監視装置３Ａを備える。例えば、表示装置２Ａは、宣伝広告等を提供するデジタルサイネージ分野で用いられる表示装置である。表示装置２Ａは、表示画面２０に表示される画像の異常を検出する。したがって、ユーザが常に監視する必要が無い。表示画面２０に表示される画像の異常とは、例えば、表示画面２０に第１の画像が正しく表示されていないことである。
【００３５】
表示装置２Ａは、入力部４、処理部５Ａ、表示部６、撮像部７、制御部８Ａ及び通信部９を備える。
【００３６】
図８は、第２の実施形態に係る処理部５Ａの概略構成の一例を示す図である。図８に示すように、処理部５Ａは、画像処理部５１及びヒストグラム処理部５２を備える。
【００３７】
画像処理部５１は、入力部４に入力された第１の画像を画像処理する。そして、画像処理部５１は、画像処理した第１の画像を表示部６に全画面表示させる。
また、画像処理部５１は、入力部４に入力された第１の画像をダウンスケーリングした第２の画像を生成する。そして、画像処理部５１は、生成した第２の画像を表示部６の表示画面の一部に表示させる。例えば、画像処理部５１は、生成した第２の画像をＰＩＰ画像として表示部６の表示画面の一部に表示させる。このように、画像処理部５１は、第１の実施形態における処理部５と同一の機能の有する。
【００３８】
ヒストグラム処理部５２は、撮像部７が撮像した撮像画像を、制御部８Ａを介して取得する。なお、ヒストグラム処理部５２は、撮像部７が撮像した撮像画像を、制御部８Ａを介さずに直接取得してもよい。
【００３９】
ヒストグラム処理部５２は、画像処理部５１により生成された第２の画像と、撮像部７により撮像された撮像画像とをそれぞれヒストグラム処理する。このヒストグラム処理とは、階調に対してのＲ（赤）Ｇ（緑）Ｂ（青）のそれぞれの強度を求める処理である。図９は、第２の実施形態に係るヒストグラム処理を説明する図である。図９（ａ）は、画像処理部５１により生成された第２の画像における階調に対してのＲＧＢ強度を示す。図９（ｂ）は、撮像部７により撮像された撮像画像における階調に対してのＲＧＢ強度を示す。
ヒストグラム処理部５２は、ヒストグラム処理した第２の画像と撮像画像とを制御部８Ａに出力する。
【００４０】
制御部８Ａは、撮像部７に撮像された撮像画像と、第２の画像とに基づいて、第１の画像が表示画面２０に表示されているか否かを判定する。例えば、制御部８Ａは、ヒストグラム処理が行われた撮像画像とヒストグラム処理が行われた第２の画像とのＲＧＢ強度の強度差に基づいて、第１の画像が表示画面２０に表示されているか否かを判定する。具体的には、制御部８Ａは、ヒストグラム処理が行われた撮像画像とヒストグラム処理が行われた第２の画像とのＲＧＢ強度の強度差の平均値が所定の値未満である場合には、撮像画像と第２の画像とが同一画像であると判定する。ここで、第２の画像は、第１の画像がダウンスケーリングされた画像であって、画像が示す情報は同一である。したがって、第２の画像と撮像画像とが同一画像であると判定されることは、第１の画像が表示画面２０に表示されていることを示す。例えば、上記所定の値は、１０％である。
【００４１】
制御部８Ａは、ヒストグラム処理が行われた撮像画像とヒストグラム処理が行われた第２の画像とのＲＧＢ強度の強度差の平均値が所定の値以上であれば、第１の画像が表示画面２０に表示されていないと判定する。この場合には、制御部８Ａは、表示画面２０に表示される画像に異常が発生したと判定し、通信部９を介して監視装置３Ａに異常発生信号を送信する。
【００４２】
図７に戻り、監視装置３Ａは、通信部１０及び制御部１２を備える。
制御部１２は、制御部８Ａから異常発生信号を取得した場合には、警報を出力する。この警報は、音声でもよいし、表示でもよいし、それらの組み合わせでもよい。この監視装置３Ａは、例えば、携帯電話、スマートフォン、タブレット又はウエアラブル端末等の可搬可能な装置でもよい。
【００４３】
以下に、第２の実施形態における表示装置２Ａの処理について、説明する。図１０は、第２の実施形態における表示装置２の処理の流れを示す図である。
表示装置２Ａは、入力部４に第１の画像が入力されることで、その第１の画像を取得する（ステップＳ２０１）。画像処理部５１は、入力部４に入力された第１の画像を画像処理する。また、画像処理部５１は、入力部４に入力された第１の画像をダウンスケーリングした第２の画像を生成する（ステップＳ２０２）。そして、画像処理部５１は、表示部６の表示画面２０に第１の画像を全画面表示するとともに、第２の画像をＰＩＰ表示する（ステップＳ２０３）。
【００４４】
撮像部７は、一定時間経過ごとに第２の画像を撮像する（ステップＳ２０４）。
ヒストグラム処理部５２は、画像処理部５１により生成された第２の画像と、撮像部７により撮像された撮像画像とをそれぞれヒストグラム処理する（ステップＳ２０５）。ヒストグラム処理部５２は、ヒストグラム処理した第２の画像と撮像画像とを制御部８Ａに出力する。
【００４５】
制御部８Ａは、ヒストグラム処理が行われた撮像画像とヒストグラム処理が行われた第２の画像とのＲＧＢ強度の強度差の平均値が所定の値以上か否かを判定する（ステップＳ２０６）。制御部８Ａは、ヒストグラム処理が行われた撮像画像とヒストグラム処理が行われた第２の画像とのＲＧＢ強度の強度差の平均値が所定の値以上である場合には、第１の画像が表示画面２０に表示されていないと判定し、異常発生信号を監視装置３Ａに無線又は有線送信する（ステップＳ２０７）。
【００４６】
上述したように、第２の実施形態における表示装置２Ａは、第１の画像をダウンスケーリングした第２の画像を生成し、第１の画像の全画面表示とともに、第２の画像をＰＩＰ表示する。また、表示装置２は、そのＰＩＰ表示された第２の画像を撮像する撮像部７を備える。そして、表示装置２は、画像処理部５１により生成された第２の画像と、撮像部７により撮像された撮像画像とをそれぞれヒストグラム処理を行い、その処理後の第２の画像と撮像画像とのＲＧＢ強度差に基づいて、表示画面２０に表示される画像の異常の有無を判定する。これにより、宣伝広告の提供者等のユーザは、この判定結果に基づいて意図した画像が表示装置２に表示されていることを容易に確認することができる。
【００４７】
次に、本発明の一実施形態に係る表示装置の主要な構成について、説明する。
図１１は、本発明の一実施形態に係る表示装置の主要な構成を説明する図である。
図１１に示すように、本発明の一実施形態に係る表示装置は、入力部４、処理部５、表示部６及び撮像部７を備える。
入力部４には、第１の画像が入力される。
表示部６は、表示画面２０を有し、その表示画面２０に入力部４に入力された第１の画像を表示する。
処理部５は、入力部４に入力された第１の画像をダウンスケーリングした第２の画像を生成し、第２の画像を表示画面２０の一部に表示させる。撮像部７は、第２の画像を撮像する。これにより、ユーザは、撮像部７に撮像された撮像画像に基づいて、自身の意図した画像が表示されていることを確認可能となる。
【００４８】
上述した実施形態における表示装置２、２Ａをコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００４９】
以上、この発明の実施形態について図面を参照して詳述してきたが、具体的な構成はこの実施形態に限られるものではなく、この発明の要旨を逸脱しない範囲の設計等も含まれる。
【００５０】
特許請求の範囲、明細書、及び図面中において示した装置、システム、プログラム、及び方法における動作、手順、ステップ、及び段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、及び図面中の動作フローに関して、便宜上「まず、」、「次に、」等を用いて説明したとしても、この順で実施することが必須であることを意味するものではない。
【符号の説明】
【００５１】
１，１Ａ  表示監視システム
２，２Ａ  表示装置
３  監視装置
４  入力部
５  処理部
６  表示部
７  撮像部
８，１２  制御部
９，１０  通信部
２０  表示画面
５１  画像処理部
５２  ヒストグラム処理部
【図１】
2018078436.tif 000003
【図２】
2018078436.tif 000004
【図３】
2018078436.tif 000005
【図４】
2018078436.tif 000006
【図５】
2018078436.tif 000007
【図６】
2018078436.tif 000008
【図７】
2018078436.tif 000009
【図８】
2018078436.tif 000010
【図９】
2018078436.tif 000011
【図１０】
2018078436.tif 000012
【図１１】
2018078436.tif 000013